(57)【特許請求の範囲】
【請求項１】
一側縁にバッテリーのターミナルに直接固定するバスバー５を有する導電性ベース板１の他側縁からヒューズの通電容量に応じた複数の細幅状または肉薄状の溶断部２を張り出させると共にその先端部に幅広状の接続固定部３を打ち抜きにより一体的に形成した多連ヒューズ素子における前記バスバー５が、導電性ベース板１に対して直角に折り曲げられ、この折り曲げられたバスバー５の部分を露出させると共にそれ以外の部分を前記導電性ベース板１の左右に設けた孔６を利用してビス止めして絶縁性の扁平なヒューズホルダー１０内に収納固定し、各接続固定部３に接続ケーブル２９の先端に設けた丸端子３１が固定できるようにしたことを特徴とする多連ヒューズ。
【請求項２】
一側縁にバッテリーのターミナルに直接固定するバスバー５を有する導電性ベース板１の他側縁からヒューズの通電容量に応じた複数の細幅状または肉薄状の溶断部２を張り出させると共にその先端部に幅広状の接続固定部３を打ち抜きにより一体的に形成した多連ヒューズ素子における前記バスバー５が、導電性ベース板１に対して直角に折り曲げられ、この折り曲げられたバスバー５の部分を露出させると共にそれ以外の部分を前記導電性ベース板１の左右に設けた孔６に対応させて突出した絶縁性の扁平なヒューズホルダー１０のピン１１を当該孔６に嵌め込んで当該ピン１１を溶着固定することにより当該ヒューズホルダー１０内に収納固定し、各接続固定部３に接続ケーブル２９の先端に設けた丸端子３１を固定できるようにしたことを特徴とする多連ヒューズ。
【請求項３】
一側縁にバッテリーのターミナルに直接固定するバスバー５を有する導電性ベース板１の他側縁からヒューズの通電容量に応じた複数の細幅状または肉薄状の溶断部２を張り出させると共にその各先端部に幅広状の接続固定部３と該接続固定部３の少なくとも一つの接続固定部３の一側縁に設けたコネクター用のオス端子４とを備えてなり、バスバー５と導電性ベース板１と溶断部２と接続固定部３とオス端子４とを打ち抜きにより一体的に形成したことを特徴とする多連ヒューズ素子。
【請求項４】
請求項３記載の多連ヒューズ素子におけるバスバー５が、導電性ベース板１に対して直角に折り曲げられ、この折り曲げられたバスバー５の部分を露出させると共にそれ以外の部分を前記導電性ベース板１の左右に設けた孔６と接続固定部３の中央に設けた孔７とを利用してビス止めして絶縁性の扁平なヒューズホルダー１０内に収納固定し、オス端子４には接続ケーブル２９の先端に設けたコネクター用のメス端子９が差し込めるようにしたことを特徴とする多連ヒューズ。
【請求項５】
請求項３記載の多連ヒューズ素子におけるバスバー５が、導電性ベース板１に対して直角に折り曲げられ、この折り曲げられたバスバー５の部分を露出させると共にそれ以外の部分を前記導電性ベース板１の左右に設けた孔６と接続固定部３の中央に設けた孔７とにそれぞれ対応させて突出した絶縁性の扁平なヒューズホルダー１０の各ピン１１を当該各孔６，７に嵌め込んで当該各ピン１１を溶着固定することにより当該ヒューズホルダー１０内に収納固定し、オス端子４には接続ケーブル２９の先端に設けたコネクター用のメス端子９が差し込めるようにしたことを特徴とする多連ヒューズ。
【発明の詳細な説明】
【０００１】
【発明の属する技術分野】
本発明は、主として自動車のバッテリーに直接設置される主電源回路保護用の６０〜１５０アンペア（Ａ）程度の大容量ヒューズに関するものである。
【０００２】
【従来の技術】
従来、自動車のバッテリーに設置される主電源回路保護用のヒューズとしては、図８に示すように、バッテリー２１のプラス（＋）ターミナル２２に接続されたケーブル２３先端部のヒューズボックス２４内に配置された複数の爪形ヒューズ２５を介して各負荷部に電力を供給していた。
【０００３】
前記爪形ヒューズ２５を使用するヒューズボックス２４においては、分岐配線の多い場合、各配線毎に当該爪形ヒューズ２５の両端部をビスにて固定する必要があり、その固定作業も面倒なものであって、ビス止めの数も多く、ヒューズボックス２４自体としても重いものとなっていた。
【０００４】
本発明者は、前記爪形ヒューズ２５を使用するヒューズボックス２４の改良品として、図９に示すように、爪形ヒューズ２５に代えてブロック型の差込式ヒューズ２６（図１０参照）を差し込む形態のヒューズボックス２７を開発し、このヒューズボックス２７から別体のバスバー２８を張り出させてバッテリー２１の（＋）ターミナル２２に直接固定する構造のヒューズを実用化している。
【０００５】
このほか、１つの電源側からの入力端子に対し、溶断部を介して複数の出力端子を並列に配置することにより、１つのヒューズ切れの影響が他に及ばないようにした多極型ヒューズ素子として、特公昭６１−１４６２５号公報にて開示された形態のものがある。
【０００６】
これは、図１１に示すように、長尺状ヒューズ金属の板材１４から打抜きにより形成され、連結リンク１５の一側において１個の共通リンク１６と複数個のヒューズ形成リンク１７、１７、…が並列状態において垂下する如く連設され、該ヒューズ形成リンク１７、１７、…に他部に比して小さい断面積の溶断部１８を設けて成るものである。
【０００７】
すなわち、前記多極型ヒューズ素子は、一定厚さのヒューズ金属の板材１４からの打抜きと共通リンク１６の一部の打出し１９により形成され、各リンクは連結リンク１５の一側（下部）において並列状態に垂下しているものである。
【０００８】
【発明が解決しようとする課題】
前記差込式ヒューズ２６を使用するヒューズボックス２７においては、差込式ヒューズ２６自体が比較的嵩高いものであるため、複数の差込式ヒューズ２６を配置する場合でも、ヒューズボックス２７は相当嵩高いものとなっていた。
【０００９】
また、ヒューズボックス２７内の差込式ヒューズ２６に各負荷と接続するケーブル２９を連結する際、図１０に示すように、ケーブル先端の丸端子３１を差込式ヒューズ２６の一方の脚部３０の外方部にボルト３２により締め付けると共に他方の脚部３０の外方部にバスバー２８の下端部を同じく別のボルト３２により締め付ける必要があり、これらの作業はスペースが狭く面倒なものであった。
【００１０】
また、差込式ヒューズ２６とバスバー２８とは別体であり、この両者はボルト３２による締め付けにより一体的に連結されるものであるため、各差込式ヒューズ２６間の品質のバラツキは避けられなかった。
【００１１】
また、同じ形態の多数の差込式ヒューズ２６を使用する際の誤配列防止策として、各差込式ヒューズ２６に対して色分けや記号付与等の手段を講じる必要があった。
【００１２】
さらに、前記特公昭６１−１４６２５号公報にて開示された形態の多極型ヒューズ素子は、長尺状ヒューズ材料である金属の板材１４を送りながら順次プレスにより所定形状に打抜くと同時に所定長さに切断することにより、多数のヒューズ素子を効率よく製造できるものであるが、１つの入力端子と出力端子間の通電容量を制御するだけのものであるため、車両１台において多数のものを必要とするものであった。
【００１３】
また、前記特公昭６１−１４６２５号公報にて開示された形態の多極型ヒューズ素子は、一定厚さのヒューズ金属の板材１４からの打抜きにより溶断部１８を形成するものであるが、バッテリーのターミナルに直接固定するためのバスバーを一体的に備えているものではなかった。
【００１４】
【課題を解決するための手段】
本発明は前述の問題点を解決したもので、嵩の高い差込式ヒューズに代えて、一枚の導電性材料からの打ち抜きにより、バスバーをも一体的に備えた複数の溶断部を有する多連ヒューズ素子を形成し、この多連ヒューズ素子を絶縁性のハウジング内に収納固定して、該多連ヒューズ素子の各接続固定部３に接続ケーブル２９先端の丸端子３１が固定できるようにしたり、各接続固定部３から延長させたコネクター用のオス端子にコネクター用のメス端子が差し込めるようにした多連ヒューズである。
【００１５】
すなわち、本発明の第１は、一側縁にバッテリーのターミナルに直接固定するバスバー５を有する導電性ベース板１の他側縁からヒューズの通電容量に応じた複数の細幅状または肉薄状の溶断部２を張り出させると共にその先端部に幅広状の接続固定部３を打ち抜きにより一体的に形成した多連ヒューズ素子における前記バスバー５が、導電性ベース板１に対して直角に折り曲げられ、この折り曲げられたバスバー５の部分を露出させると共にそれ以外の部分を前記導電性ベース板１の左右に設けた孔６を利用してビス止めして絶縁性の扁平なヒューズホルダー１０内に収納固定し、各接続固定部３に接続ケーブル２９の先端に設けた丸端子３１が固定できるようにした多連ヒューズである。
【００１６】
本発明の第２は、一側縁にバッテリーのターミナルに直接固定するバスバー５を有する導電性ベース板１の他側縁からヒューズの通電容量に応じた複数の細幅状または肉薄状の溶断部２を張り出させると共にその先端部に幅広状の接続固定部３を打ち抜きにより一体的に形成した多連ヒューズ素子における前記バスバー５が、導電性ベース板１に対して直角に折り曲げられ、この折り曲げられたバスバー５の部分を露出させると共にそれ以外の部分を前記導電性ベース板１の左右に設けた孔６に対応させて突出した絶縁性の扁平なヒューズホルダー１０のピン１１を当該孔６に嵌め込んで当該ピン１１を溶着固定することにより当該ヒューズホルダー１０内に収納固定し、各接続固定部３に接続ケーブル２９の先端に設けた丸端子３１を固定できるようにした多連ヒューズである。
【００１７】
本発明の第３は、一側縁にバッテリーのターミナルに直接固定するバスバー５を有する導電性ベース板１の他側縁からヒューズの通電容量に応じた複数の細幅状または肉薄状の溶断部２を張り出させると共にその各先端部に幅広状の接続固定部３と該接続固定部３の少なくとも一つの接続固定部３の一側縁に設けたコネクター用のオス端子４とを備えてなり、バスバー５と導電性ベース板１と溶断部２と接続固定部３とオス端子４とを打ち抜きにより一体的に形成した多連ヒューズ素子である。
【００１８】
本発明の第４は、前記第３の発明に係る多連ヒューズ素子におけるバスバー５が、導電性ベース板１に対して直角に折り曲げられ、この折り曲げられたバスバー５の部分を露出させると共にそれ以外の部分を前記導電性ベース板１の左右に設けた孔６と接続固定部３の中央に設けた孔７とを利用してビス止めして絶縁性の扁平なヒューズホルダー１０内に収納固定し、オス端子４には接続ケーブル２９の先端に設けたコネクター用のメス端子９が差し込めるようにした多連ヒューズである。
【００１９】
本発明の第５は、前記第３の発明に係る多連ヒューズ素子におけるバスバー５が、導電性ベース板１に対して直角に折り曲げられ、この折り曲げられたバスバー５の部分を露出させると共にそれ以外の部分を前記導電性ベース板１の左右に設けた孔６と接続固定部３の中央に設けた孔７とにそれぞれ対応させて突出した絶縁性の扁平なヒューズホルダー１０の各ピン１１を当該各孔６，７に嵌め込んで当該各ピン１１を溶着固定することにより当該ヒューズホルダー１０内に収納固定し、オス端子４には接続ケーブル２９の先端に設けたコネクター用のメス端子９が差し込めるようにした多連ヒューズである。
【００２０】
【作用】
本発明に係る多連ヒューズにおいては、分岐配線の多い場合でも一つの多連ヒューズの取り付けにより、打ち抜きにより一体的に形成された複数のヒューズの通電容量に応じた細幅状または肉薄状の溶断部２が、従来の多数の爪形ヒューズやブロック型の差込式ヒューズの役割を果たす。
【００２１】
【実施の形態】
以下に、本発明に係る多連ヒューズ素子の各種の実施の形態を図に基き説明する。
【００２２】
実施の形態１：図１は、本発明に係る多連ヒューズ素子の最も基本的な構成を示すもので、（Ａ）は正面図、（Ｂ）は側面図であり、このヒューズ素子は、長方形の導電性ベース板１の上縁中央に幅広のバスバー５を有すると共に下縁からヒューズの通電容量に応じた細幅状の溶断部２を四本並行に張り出させ、その先端部に幅広状の接続固定部３を打ち抜きにより一体的に設けたものである。
【００２３】
導電性ベース板１には左右に孔６が設けられると共に接続固定部３の中央部にもそれぞれ孔７が設けられ、バスバー５の先端部にもバッテリーとの接続用の孔８が設けられ、孔６は後記するヒューズホルダー１０への固定用の役割を果たし、孔７は同じくヒューズホルダー１０への固定用と接続ケーブル２９の先端に設けた丸端子３１固定用の役割を兼ねるものである。
【００２４】
実施の形態２：図２は、本発明に係る多連ヒューズ素子の他の構成を示すもので、（Ａ）は正面図、（Ｂ）は側面図であり、このヒューズ素子は、前記図１（Ａ）に示す実施の形態１の構成における各接続固定部３の下縁に、コネクター用のオス端子４を打ち抜きにより一体的に設けたものである。
【００２５】
なお、図２においては、各接続固定部３の下縁にオス端子４を一体的に設けた形態を示しているが、このオス端子４は接続固定部３の一部に設けたものでもよい。
【００２６】
実施の形態３：図３、図４は、本発明に係る多連ヒューズの構成を示すもので、図３の（Ａ）は正面図、（Ｂ）はＡ−Ａ断面図、図４の（Ａ）は図３（Ａ）の左側面図、（Ｂ）は同底面図であり、この多連ヒューズは、前記実施の形態１に示す多連ヒューズ素子における上方のバスバー５の部分を図３（Ｂ）に示すように直角に折り曲げると共に、ベース板１、溶断部２、接続固定部３をこれらの形状に合致するように形成された絶縁性のヒューズホルダー１０に装填してバスバー５の先端部分を露出させたものである。
【００２７】
前記多連ヒューズ素子のヒューズホルダー１０への固定手段としては、ベース板１の左右の孔６を利用してビス止めしてもよいが、当該孔６に対応させてヒューズホルダー１０に予め一体的に突出させたピン１１に孔６を嵌め込み、ピン１１の先端部を加熱することにより溶着固定する手段が便利である。
【００２８】
また、接続固定部３の部分のヒューズホルダー１０への固定手段としては、図３（Ｂ）に示すように、ヒューズホルダー１０の接続固定部３と対応する部分に予めナット１３ａを埋め込んでおき、各負荷と接続される接続ケーブル２９の先端に設けた丸端子３１と共に各接続固定部３の孔７を利用して、前記ナット１３ａにボルト１３をねじ込み固定する。
【００２９】
なお、図中１２は、ヒューズホルダー１０の前面に開閉可能に設けられたカバーである。
【００３０】
本発明に係る多連ヒューズは図３（Ｂ）や図７に示すように、バスバー５の孔８を利用してバッテリー２１の（＋）ターミナル２２に直接固定することにより、ヒューズホルダー１０はバッテリー２１の前面に沿って少し間隙を隔てた状態にて固定される。
【００３１】
実施の形態４：図５、図６は、本発明に係る他の多連ヒューズの構成を示すもので、図５の（Ａ）は正面図、（Ｂ）はＡ−Ａ断面図、図６の（Ａ）は図５（Ａ）の左側面図、（Ｂ）は同底面図であり、この多連ヒューズは、前記実施の形態２に示す多連ヒューズ素子における上方のバスバー５の部分を図５（Ｂ）に示すように直角に折り曲げると共に、ベース板１、溶断部２、接続固定部３及びオス端子４の部分をこれらの形状に合致するように形成された絶縁性のヒューズホルダー１０に装填してバスバー５の先端部分を露出させたものである。
【００３２】
前記多連ヒューズ素子のヒューズホルダー１０への固定手段としては、ベース板１の左右の孔６及び接続固定部３の中央部の孔７を利用してビス止めしてもよいが、当該孔６、７に対応させてヒューズホルダー１０に予め一体的に突出させたピン１１に孔６、７を嵌め込み、ピン１１の先端部を加熱することにより溶着固定する手段が便利である。
【００３３】
なお、図中１２ａはヒューズホルダー１０の前面に開閉可能に設けられたカバーであり、このカバー１２ａを被せた状態の多連ヒューズにおいて、前記各接続固定部３下方のオス端子４に対し、各負荷と接続される接続ケーブル２９の先端に設けたコネクター用のメス端子９（二点鎖線にて示す）が差し込めるように形成されている。
【００３４】
【発明の効果】
本発明に係る多連ヒューズは、複数のヒューズをバスバーと共に一枚の導電性板材から打ち抜きにより一体的に形成されているため、ヒューズ性能のバラツキが少なく、信頼性の向上が図れる。
【００３５】
また、多連ヒューズの取り付けに際しても、バスバーをバッテリーのターミナルに直接固定するだけで、誤配列の恐れはなく、組み付け工数についても大幅に削減される。
【００３６】
さらに、多連ヒューズであるため、複数のヒューズを偏平なヒューズホルダーにコンパクトにまとめることが可能で、嵩張らず、小スペース化と軽量化が図れる。
【００３７】
従って、本発明の産業利用性は極めて大きいと言える。
【図面の簡単な説明】
【図１】  本発明に係る多連ヒューズ素子の一実施例を示すもので、（Ａ）は正面図、（Ｂ）は側面図。
【図２】  本発明に係る多連ヒューズ素子の他の実施例を示すもので、（Ａ）は正面図、（Ｂ）は側面図。
【図３】  本発明に係る多連ヒューズの一実施例を示すもので、（Ａ）はカバーを外した状態の正面図、（Ｂ）は（Ａ）のＡ−Ａ断面図。
【図４】  本発明に係る多連ヒューズの一実施例を示すもので、（Ａ）は図３（Ａ）に示す多連ヒューズの左側面図、（Ｂ）は同底面図。
【図５】  本発明に係る多連ヒューズの他の実施例を示すもので、（Ａ）はカバーを外した状態の正面図、（Ｂ）は（Ａ）のＢ−Ｂ断面図。
【図６】  本発明に係る多連ヒューズの他の実施例を示すもので、（Ａ）は図５（Ａ）に示す多連ヒューズの左側面図、（Ｂ）は同底面図。
【図７】  本発明に係る多連ヒューズをバッテリーのターミナルに固定した状態の斜視図。
【図８】  従来の複数の爪ヒューズを装着したヒューズボックスをケーブルを介してバッテリーのターミナルに固定した状態の斜視図。
【図９】  従来のブロック型差込式ヒューズを装着したヒューズボックスをバッテリーのターミナルに固定した状態の斜視図。
【図１０】  図９におけるヒューズ部分の中央縦断側面図。
【図１１】  従来の多極型ヒューズ素子を示すもので、（Ａ）は正面図、（Ｂ）は側面図。
【符号の説明】
１  導電性ベース板
２  溶断部
３  接続固定部
４  ターミナル
５  バスバー
６、７、８  孔
９  コネクター用メス端子
１０  ヒューズホルダー
１１  ピン
１２  カバー
１３  ボルト
１３ａナット
３１  丸端子
【図１】
0004096431.tif 000002
【図２】
0004096431.tif 000003
【図３】
0004096431.tif 000004
【図４】
0004096431.tif 000005
【図５】
0004096431.tif 000006
【図６】
0004096431.tif 000007
【図７】
0004096431.tif 000008
【図８】
0004096431.tif 000009
【図９】
0004096431.tif 000010
【図１０】
0004096431.tif 000011
【図１１】
0004096431.tif 000012